(57)【特許請求の範囲】
【請求項１】
少なくとも上面の平面板、側方の正面板、側方であって正面板の反対側の背面板で構成される中空置台であって、
中空置台の平面板に少なくとも一以上の釣竿置と点滅灯とを備え、正面板には縦条溝を設け、
背面板上方に孔を対設して前記縦条溝と前記孔に端子付テグス引掛け扞を挿通したものを設け、
端子付テグス引掛け扞が縦条溝を出た箇所で、一端を正面板に他端を端子付テグス引掛け扞に固定した水平に設けたバネを取付け、
正面板に水平方向に開口した調節口を設け、
調節口に摺動自在に取付けた調節杆を設け、
調節杆に穿設した孔にバネを挿入し、調節杆とバネを連結すると共に、
端子付テグス引掛け扞に設けられた端子は前記中空置台の内部に位置するように構成し、
中空置台内部にはもう一方の端子を固定し、
端子付テグス引掛け扞に設けられた端子と中空置台内部に設けた端子が接触することで、発音器と点滅灯が作動するように電源と通電機構を備えたことを特徴とする釣竿置台。
【請求項２】
少なくとも上面の平面板、側方の正面板、側方であって正面板の反対側の背面板で構成される中空置台であって、
中空置台の平面板に少なくとも一以上の釣竿置と点滅灯とを備え、正面板には縦条溝を設け、
背面板上方に孔を対設して前記縦条溝と前記孔に端子付テグス引掛け扞を挿通したものを設け、
端子付テグス引掛け扞が縦条溝を出た箇所で、一端を正面板に他端を端子付テグス引掛け扞の上に取付けた水平な押さえ扞を設け、
正面板に水平方向に開口した調節口を設け、
調節口に摺動自在に取付けた調節杆を設け、
調節杆の突起状の支持部に押さえ杆を係合させ、調節杆と押さえ杆を係合すると共に、
端子付テグス引掛け扞に設けられた端子は前記中空置台の内部に位置するように構成し、
中空置台内部にはもう一方の端子を固定し、
端子付テグス引掛け扞に設けられた端子と中空置台内部に設けた端子が接触することで、発音器と点滅灯が作動するように電源と通電機構を備えたことを特徴とする釣竿置台。
【発明の詳細な説明】
【０００１】
【発明の属する技術分野】
本発明は、投釣に使用される釣竿置台、更に詳しくは投釣の際に魚が引いたことを素早く容易に知見することができる釣竿置台に関するものである。
【０００２】
【従来の技術】
従来、投釣愛好者の多くは海の水際から投釣をして、釣竿を手で握り魚が引くのを待っていた。或いは、筒条置台を砂浜に差し込んで釣竿を筒に挿入し魚が引くのを待っていた。更に、岸壁からの投釣の場合は殆どの釣り人が釣竿を岸壁に凭れ掛けて魚が引くのを待っていた。
【０００３】
【発明が解決しようとする課題】
しかしながら、従来の技術で述べたように投釣の場合釣竿を長時間監視続けるので疲労し、特に夜釣りは長時間釣竿を握っていると更に疲労が増していた。また、岸壁に釣竿を凭れ掛けることによって、疲労の軽減を図ることは可能であるが、魚の引きに気づくのが遅くなりがちで魚の引きと釣糸の巻取りとが合致せず、魚を釣り上げる機会を失うという問題点があった。
【０００４】
そこで本発明は、従来の技術の有するこのような問題点に鑑みてなされたものであり、その目的とするところは携行至便且つ簡単な構造で、疲労を軽減し昼夜を問わず魚が引くのを容易に知見して確実に魚を釣り上げることができる釣竿置台を提供することを目的とする。
【０００５】
【課題を解決するための手段】
上記目的を達成するために請求項１記載の発明は、少なくとも上面の平面板、側方の正面板、側方であって正面板の反対側の背面板で構成される中空置台であって、中空置台の平面板に少なくとも一以上の釣竿置と点滅灯とを備え、正面板には縦条溝を設け、背面板上方に孔を対設して前記縦条溝と前記孔に端子付テグス引掛け扞を挿通したものを設け、端子付テグス引掛け扞が縦条溝を出た箇所で、一端を正面板に他端を端子付テグス引掛け扞に固定した水平に設けたバネを取付け、正面板に水平方向に開口した調節口を設け、調節口に摺動自在に取り付けた調節杆を設け、調節杆に穿設した孔にバネを挿入し、調節杆とバネを連結すると共に、端子付テグス引掛け扞に設けられた端子は前記中空置台の内部に位置するように構成し、中空置台内部にはもう一方の端子を固定し、端子付テグス引掛け扞に設けられた端子と中空置台内部に設けた端子が接触することで、発音器と点滅灯が作動するように電源と通電機構を備えたことを特徴とする。
【０００６】
請求項２記載の発明は、少なくとも上面の平面板、側方の正面板、側方であって正面板の反対側の背面板で構成される中空置台であって、中空置台の平面板に少なくとも一以上の釣竿置と点滅灯とを備え、正面板には縦条溝を設け、背面板上方に孔を対設して前記縦条溝と前記孔に端子付テグス引掛け扞を挿通したものを設け、端子付テグス引掛け扞が縦条溝を出た箇所で、一端を正面板に他端を端子付テグス引掛け扞の上に取付けた水平な押さえ扞を設け、正面板に水平方向に開口した調節口を設け、調節口に摺動自在に取付けた調節杆を設け、調節杆の突起状の支持部に押さえ杆を係合させ、調節杆と押さえ杆を係合すると共に、端子付テグス引掛け扞に設けられた端子は前記中空置台の内部に位置するように構成し、中空置台内部にはもう一方の端子を固定し、端子付テグス引掛け扞に設けられた端子と中空置台内部に設けた端子が接触することで、発音器と点滅灯が作動するように電源と通電機構を備えたことを特徴とする。
【０００７】
【発明の実施の形態】
以下、本発明の実施の形態を、図面に基づいて説明する。
各図面において、図１は釣竿と引掛け杆の構成状態を示す斜視図、図２は釣竿置台の正面図、図３は釣竿置台の内部機構を示す平面図、図４は引掛け杆の作動状態を示す側面説明図、図５はバネと調節杆の構成状態を示す要部説明図、図６は押さえ杆と引掛け杆の構成状態を示す一部切欠斜視図、図７は押さえ杆と調節杆の構成状態を示す要部説明図である。
まず、図１〜図５において、置台１は中空直方体に構成され、この置台１の平面板１ａにＵ字形に形成された釣竿１５の釣竿置２と隣接する点滅灯３とを一対として所定間隔をおいて複数設けている。正面板１ｂに釣竿置２と同数の縦条溝４を穿設し、この縦条溝４と反対側の背面板１ｃ上方に孔５を対設し、引掛け杆６の先端７が孔５の外側へ後端が縦条溝４の外側へ突出するように挿通する。縦条溝４と隣接する縦条溝４間に正面板１ｂ長手方向に沿って水平に延長されたバネ８例えば板バネの夫々先端を引掛け杆６後方に連絡している。このバネ８の上方且つ平行に形成された調節口１０に摺接自在で孔１４を穿設した調節杆９を設け、この孔１４にバネ８を挿入し、調節杆９を摺接させて調節杆９の固定部１７例えばナットの締着により固定させる。１８は、重錘１９を取付けする取付け部である。
【０００８】
置台１の内部には図３及び図４で示されるように電源１１、発音器１２、端子１３とが配線され、引掛け杆６の中途に取付けた端子１６と端子１３が接続することによって通電し、点滅灯３の点灯及び発音器１２が発音する。
【０００９】
次にこのような実施の形態の作用について説明する。
まず、置台１の釣竿置２に釣竿１５を凭せ掛け、釣竿１５のテグスを引掛け杆６の先端７に引掛ける。ここで、潮流の遅速によって引掛け杆６のバランスを取るためにバネ８を挿入している調節杆９を調節口１０により段階的に摺接させ、任意の位置で固定部１７を締着して調節杆９を固定する。更に詳しくは、潮流が速い場合は引掛け杆６とバネ８の距離を長くし、潮流が遅い場合は引掛け杆６とバネ８の距離を短くするものである。重錘１９は、潮流が速い場合は引掛け杆６の最後端の取付け部１８に、潮流が遅くなるに従い先端方向の取付け部１８に取付け、潮流の遅速に更に対応することができる。
【００１０】
ここで魚が餌を引くと、テグスの張力により、孔５の下端縁を支点として引掛け杆６の先端７は降下し後端は縦条溝４の上端縁迄上昇する。すると、引掛け杆６の後方に取付けている端子１６が引掛け杆６と共に上昇して正面板１ｂの内面に取付けている端子１３と接続され、点滅灯３の点灯と発音器１２が発音する。点灯と発音によって、釣人は釣竿１５のリールを回転させ、テグスを順次巻取り魚を釣り上げることができる。
【００１１】
図６及び図７の実施の形態について説明する。説明を簡単にするため、図１〜図５の実施の形態と同様の作用をなす部分は同一符号で説明する。縦条溝４と隣接する縦条溝４間の下方且つ正面板１ｂ長手方向に沿って水平に形成された押さえ杆２０の先端が引掛け杆６を上方より押さえるように縦条溝４と隣接する縦条溝４間の中央に取付けられている。押さえ杆２０の上方近傍且つ平行に形成された調節口１０を介して押さえ杆２０を支持する支持部２１を突出した調節杆２２を摺接する。他の構成は図１〜図５の実施の形態で説明したのと同様なのでその説明を省略する。
【００１２】
次にこのような実施の形態の作用について説明する。
図１〜図５で説明した実施の形態と相違するところは、潮流の遅速によって引掛け杆６のバランスを取るために調節杆２２を調節口１０により段階的に摺接させ、任意の位置で押さえ杆２０を支持部２１にて支持する。更に詳しくは、潮流が速い場合は引掛け杆６と支持部２１の距離を長くし、潮流が遅い場合は引掛け杆６支持部２１の距離を短くするものである。
【００１３】
本発明の置台は一体成形のものを説明したが、本発明は各板を蝶番により折畳み自在にしネジ等のねじ込みによって組み立てることも可能である。また、バネとバネ、押さえ杆と押さえ杆との構成を説明したが、バネと押さえ杆との構成も勿論可能である。
【００１４】
【発明の効果】
本発明は以上のように構成されているので、次に記載する効果を奏する。
【００１５】
内部に通電機構を設けた置台に釣竿置、引掛け杆及び点滅灯を備え、釣竿のテグスを引掛け杆先端に引っ掛け、テグスの張力により引掛け杆先端が降下すると、点滅灯の点灯及び発音器が発音するようにしたので、昼夜を問わず常に釣竿を握ることなく外部より容易に魚の引きを知ることができるため、疲労感もなく、長時間魚釣りを楽しむことができるという効果がある。
【００１６】
調節杆とバネ若しくは調節杆と押さえ杆を設けたので、潮流の遅速によって引掛け杆を調整することができるという効果がある。
【００１７】
釣竿置台の構成が簡単なので、低コストで製造でき、故障も少なく、携行至便で外観的にも優れているという効果がある。
【図面の簡単な説明】
【図１】釣竿と引掛け杆の構成状態を示す斜視図である。
【図２】置台の正面図である。
【図３】置台の内部機構を示す平面図である。
【図４】引掛け杆の作動状態を示す説明図である
【図５】バネと調節杆の構成状態を示す要部説明図である。
【図６】押さえ杆と引掛け杆の構成状態を示す一部切欠斜視図である。
【図７】押さえ杆と調節杆の構成状態を示す要部説明図である。
【符号の説明】
１  置台
１ａ  平面板
１ｂ  正面板
１ｃ  背面板
２  釣竿置
３  点滅灯
４  縦条溝
５  孔
６  引掛け杆
８  バネ
９  調節杆
１０  調節口
１１  電源
１２  発音器
１３、１６  端子
１４  孔
１５  釣竿
２０  押さえ杆
２１  支持部
２２  調節杆
【図１】
0003561797.tif 000002
【図２】
0003561797.tif 000003
【図３】
0003561797.tif 000004
【図４】
0003561797.tif 000005
【図５】
0003561797.tif 000006
【図６】
0003561797.tif 000007
【図７】
0003561797.tif 000008